(57)【要約】      （修正有）【要訳】【課題】布袋竹は庭木のひとつで地上に見える部分を楽しむことが目的である。しかし、地中に於いては根の繁殖力が強く主根が何処までも伸びて行く。地中に於いて布袋竹の根は、０、０３ｍ程の長さの等間隔で節が出来て美しい形を作る。竹根は物に接した時はそれに沿って伸び続ける。その性質を利用して根を型にはめて栽培し、輪の形の竹根にしたり、真っ直ぐな竹根にして人工的な美術工芸品の原料を作りたい。【解決手段】布袋竹を路地植えとせず、定型の器に植え、その器と同じ形の伸び方の根を栽培する。筒型の植え木鉢に植え、根をその中で栽培することによって、筒型の壁に沿って螺旋させ、カーブする竹根を作る。又、ホースを器として植え、根をその中で栽培することによって直進させ、真っ直ぐな竹根を作る。【選択図】図４
0003110537.tif 000002
【実用新案登録請求の範囲】
【請求項１】
布袋竹の根を美術工芸品の原料として栽培するために、根が縁に沿って延びる性質を利用するところの、
（１）カーブすることを目的として、筒型の植え木鉢（直径０、０２ｍ深さ０、０３ｍ）に植えられ、螺旋形に成長する布袋竹の根
（２）真っ直ぐにすることを目的として、ホースに植えられ、その中を直進して成長する布袋竹の根
以上からなる美術工芸品用布袋竹の根。
【考案の詳細な説明】
【技術分野】
【０００１】  本考案は園芸分野に於けるほてい竹根の栽培法である。
【背景技術】
【０００２】  布袋竹は庭木のひとつで地上に見える部分を楽しむことが目的である。しかし、本考案は地下部分の根を美術工芸品として利用することを目的として栽培するものである。【０００３】  竹類は地下に於ける根の繁殖力が強く主根が何処までも伸びて行く。又、新しい竹芽が毎年早い成長で伸びきる。【０００４】  布袋竹の根は、０、０３ｍ程の長さの等間隔で節が出来る。それが根を強靭なものとし、又、美しく工芸的とする。
【考案の開示】
【考案が解決しようとする課題】
【０００５】  解決しようとする問題点は、竹根は物に接した時はそれに沿って伸び続ける。その性質を利用して根を型にはめて栽培し、輪の形の竹根にしたり、真っ直ぐな竹根にして人工的な美術工芸品の原料を作りたい。
【課題を解決するための手段】
【０００６】  本考案は布袋竹を路地植えとせず、定型の筒型の植え木鉢に植え、根をその中で繁殖させることによって形を整え、布袋竹の持つ節の美しさと強さを利用しようとするものである。
【考案の効果】
【０００７】  布袋竹を定型の筒型の植え木鉢、或いはホースに植えることによって節の美しさが揃い、根全体の形も揃い、筒型、或いは直線に合った好みのカーブを付けることができる。
【考案を実施するための最良の形態】
【０００８】  螺旋を描く根を作るために、植え付ける器は普通の植え木鉢では無く、プラスチック製の筒型ごみ箱を利用する。何故ならば、筒型ごみ箱は円筒で均一な太さと深さがある。この中の縁にそって布袋竹の根が形よく輪を描きながら伸びていく。抜き取ることの困難が予想されるが格安なプラスチック製なら目標期間達成の時点でプラスチックを破壊して取り出すことが出来る。【０００９】  もう一つ真っ直ぐな根を作るために、植え付ける器を、ホースを利用する。この中を布袋竹の根が形よく真っ直ぐに伸びていく。
【実施例１】
【００１０】  準備する物
１  布袋竹苗３本ずつ２組
２  プラスチック製の筒型ごみ箱（直径０、２ｍ  深さ０、３ｍ）
３  太めのホース（長さ２〜５ｍ）片方を塞ぐ蓋（ヤクルトの空瓶等）
４  草花用培養土【００１１】  布袋竹苗は１容器に３本植え付ける。１本でも良いが根づかない場合の予備である。【００１２】  プラスチック製の筒型ごみ箱の底に排水用の穴を開け、土を入れて苗を植える。【００１３】  ホースは縦に切目を入れ、土を入れて、横に延ばす。片側を塞いで苗を植える。【００１４】  竹は水を多量に要するので毎日の水やりを欠かさず、２〜３年の経過を待つ。その間、毎年春、新しい芽が出るのでその苗を新たに別の容器に移植して増やす。移植時期は梅雨時が良い。【００１５】  ２〜３年の間に布袋竹の根は容器の中で容器の縁に沿って伸び続けている。そのため土の養分不足と場所不足が生じてくる。２〜３年が経過した頃、容器の中は養分不足と場所不足のため固い砂利と根ばかりとなり、地上の葉の勢いが悪くなる。この時が工芸用ほてい竹根の出来上がりである。【００１６】  出来上がった工芸用ほてい竹根を堀り出し水洗いをし、陰干しをする。この時、ほてい竹根は容器の形を形成している。竹の節には短い根が数本ずつ生えている。これは後に小刀で切り落とす。
【産業上の利用可能性】
【００１７】  ほてい竹根の主根の、節の形の美しさと、螺旋形にカーブしたり、真っ直ぐに伸びたりした美しさが美術工芸用品の原材料として役立つ。
【図面の簡単な説明】
【００１８】
【図１】布袋竹の苗を筒型容器に植え付けた図である。
【図２】翌年の新しい竹芽と、容器の中の主根が容器の縁に沿って延びている図である。
【図３】２〜３年後、容器の中の主根がいっぱいになった図である。（仕上がり）
【図４】輪を描いて仕上がったほてい竹根である。短い根は小刀で切り落とす。
【図５】布袋竹の苗をホースに植え付けた図である。
【図６】２〜３年後、容器の中の主根がいっぱいになった図である。（仕上がり）
【図７】真っ直ぐに仕上がったほてい竹根である。短い根は小刀で切り落とす。
【符号の説明】
【００１９】  １ホースに開けたスリット。（土と苗を入れたらビニール紐で塞ぐ）
２ホースの片側に蓋をした所。もう片方は開けておく。
【図１】
0003110537.tif 000003
【図２】
0003110537.tif 000004
【図３】
0003110537.tif 000005
【図４】
0003110537.tif 000006
【図５】
0003110537.tif 000007
【図６】
0003110537.tif 000008
【図７】
0003110537.tif 000009
【手続補正書】
【提出日】平成16年7月15日(2004.7.15)
【手続補正１】
【補正対象書類名】実用新案登録請求の範囲
【補正対象項目名】全文
【補正方法】変更
【補正の内容】
【実用新案登録請求の範囲】
【請求項１】
布袋竹の地下茎が縁に沿って延びる性質を利用して、美術工芸品のための、円形、及び真っ直ぐな形の竹（地下茎）を作るために、
（１）筒型の植え木鉢（直径０、２ｍ深さ０、３ｍ）に布袋竹を植え、その地下茎を鉢の      縁に沿って螺旋形に成長させて、１〜２年後に輪の形になった地下茎を掘り出す。
（２）真っ直ぐなホース（５ｍ）に布袋竹を植え、その地下茎を直進させて成長させ、１      〜２年後に真っ直ぐな形になった地下茎を掘り出す。
以上からなる、円形及び真っ直ぐな形の布袋竹地下茎の栽培。
【手続補正書】
【提出日】平成16年10月22日(2004.10.22)
【手続補正１】
【補正対象書類名】実用新案登録請求の範囲
【補正対象項目名】全文
【補正方法】変更
【補正の内容】
【実用新案登録請求の範囲】
【請求項１】
布袋竹の地下茎が縁に沿って延びる性質を利用して、
（１）筒型の植え木鉢に布袋竹を植え、その地下茎を鉢の縁に沿って螺旋形に成長させて、１〜２年後に輪の形になった地下茎を掘り出す。
（２）真っ直ぐなホ−スに布袋竹を植え、その地下茎を直進させて成長させて、１〜２年後に真っ直ぐな形になった地下茎を掘り出す。
以上からなる、円形、及び真っ直ぐな形の美術工芸品用布袋竹地下茎。
【手続補正書】
【提出日】平成17年1月11日(2005.1.11)
【手続補正１】
【補正対象書類名】実用新案登録請求の範囲
【補正対象項目名】全文
【補正方法】変更
【補正の内容】
【実用新案登録請求の範囲】
【請求項１】
布袋竹の地下茎が縁に沿って延びる性質を利用して、
（１）筒型の植え木鉢に布袋竹を植え、その地下茎を鉢の縁に沿って螺旋形に成長させて、１〜２年後に輪の形になった地下茎を掘り出す。
以上からなる、円形の形の美術工芸品用布袋竹地下茎。
【請求項２】
布袋竹の地下茎が縁に沿って延びる性質を利用して、
（１）真っ直ぐなホースに布袋竹を植え、その地下茎を直進させて成長させて、１〜２年後に真っ直ぐな形になった地下茎を掘り出す。
以上からなる、真っ直ぐな形の美術工芸品用布袋竹地下茎。